(57)【要約】【課題】女性の着用者からの尿を導く導尿パッドにおいて、着用者の姿勢に関わらず、着用者からの尿をおむつの中央部へと導く。【解決手段】女性用の導尿パッド１は、使い捨ておむつの内側において着用者の女性器に取り付けられて着用者からの尿をおむつ内の所定の領域へと導く。導尿パッド１は、カップ状の導尿部１１、および、導尿部１１から左右方向に広がる一対のシート状の貼付部１２を備え、一対の貼付部１２が女性器の左右の外陰唇に貼付されることにより、導尿部１１が女性器に対向するとともに女性器から離れる方向に突出する。導尿パッド１では、着用者からの尿が導尿部１１の内部を通過して第１開口１１５および一対の第２開口１１６から外部へと導出され、着用者の姿勢に関わらず、使い捨ておむつの中央部へと導かれる。その結果、着用者の脚の付け根と使い捨ておむつとの間の隙間から尿が漏れることを防止することができる。【選択図】図１
2011010985.tif 000002
【特許請求の範囲】
【請求項１】
女性の着用者からの尿をおむつ内の所定の領域へと導く導尿パッドであって、
撥水性または不透液性を有するシートであり、女性器に対向するとともに前記女性器から離れる方向へと突出し、尿が内部を通過して先端部またはその周囲に形成された開口から導出される導尿部と、
前記導尿部から左右方向に広がり、前記女性器または前記女性器近傍に貼付される一対の貼付部と、
を備えることを特徴とする導尿パッド。
【請求項２】
請求項１に記載の導尿パッドであって、
前記導尿部が、収縮することによりギャザーを形成する弾性部材を備えることを特徴とする導尿パッド。
【請求項３】
請求項２に記載の導尿パッドであって、
前記弾性部材が、前記開口の周囲に配置されることを特徴とする導尿パッド。
【請求項４】
請求項２または３に記載の導尿パッドであって、
前記弾性部材が、前記着用者の股下において前後方向にそれぞれ伸びるとともに前記左右方向に配列される複数の弾性要素を有し、
前記ギャザーが伸張された状態において、前記導尿部の前記先端部近傍の弾性要素の収縮力が、前記先端部から左右に離れた弾性要素の収縮力よりも小さいことを特徴とする導尿パッド。
【請求項５】
請求項２ないし４のいずれかに記載の導尿パッドであって、
前記一対の貼付部がシート状であり、
前記一対の貼付部がそれぞれ、前後方向にそれぞれ伸びるとともに前記左右方向に配列されてギャザーを形成する他の複数の弾性要素を備え、
前記導尿部の前記ギャザーおよび前記一対の貼付部の前記ギャザーが伸張された状態において、前記複数の弾性要素全体の収縮力が、前記他の複数の弾性要素全体の収縮力よりも小さいことを特徴とする導尿パッド。
【請求項６】
請求項１ないし５のいずれかに記載の導尿パッドであって、
前記導尿部の内面が親水性シートにより形成されることを特徴とする導尿パッド。
【請求項７】
請求項１ないし６のいずれかに記載の導尿パッドであって、
前記導尿部および前記一対の貼付部が、元の形状が略矩形である１つのシート部材により形成されており、
前記シート部材の略中央にて前後方向に伸びる折り目にて前記シート部材を２つ折りにし、前記折り目の前記前後方向における両端部にて、前記折り目の両側を接合することにより前記導尿部が形成され、
前記シート部材の前記導尿部から連続する部位を前記左右方向に広げることにより前記一対の貼付部が形成されることを特徴とする導尿パッド。
【請求項８】
請求項１ないし７のいずれかに記載の導尿パッドであって、
前記導尿部が、前記着用者からの尿を受ける受尿部を有し、
前記開口が、前記受尿部近傍に設けられることを特徴とする導尿パッド。
【請求項９】
請求項８に記載の導尿パッドであって、
前記導尿部がもう１つの開口をさらに備え、
前記開口および前記もう１つの開口が、前記受尿部の左右にそれぞれ位置することを特徴とする導尿パッド。
【請求項１０】
請求項１ないし９のいずれかに記載の導尿パッドであって、
前記一対の貼付部がゲル状粘着材を備えることを特徴とする導尿パッド。
【請求項１１】
請求項１ないし１０のいずれかに記載の導尿パッドであって、
前記一対の貼付部の前端部の間の距離が、前記一対の貼付部の後端部の間の距離よりも大きいことを特徴とする導尿パッド。
【発明の詳細な説明】
【技術分野】
【０００１】
本発明は、女性の着用者からの尿をおむつ内の所定の領域へと導く導尿パッドに関する。
【背景技術】
【０００２】
従来より、使い捨ておむつにおいて、着用者の脚の付け根と使い捨ておむつとの間の隙間から尿等の排泄物が漏れること（いわゆる、横漏れ）を防止するために、様々な提案が行われている。
【０００３】
例えば、特許文献１では、複数の不織布等の帯片からなる尿誘導部、および、複数の帯片の上端部を連結する連結部を備える尿誘導シートを吸尿パッドの内側に配置し、連結部を着用者の腹部に貼付するとともに連結部から下方に伸びる尿誘導部により尿道口を覆うことにより、排泄された尿を尿誘導部の複数の帯片の下端（すなわち、吸尿パッドの股下域）へと導いて側方に流れてしまうことを抑制する技術が提案されている。
【０００４】
一方、特許文献２では、女性器の左右の外陰唇の間に挟まれて保持される尿失禁パッドが提案されている。当該尿失禁パッドは、不意の失禁が生じた際のごく少量の尿を吸収するために使用されるものであり、通常の排尿の際には女性器から取り外される。
【先行技術文献】
【特許文献】
【０００５】
【特許文献１】特開２００４−１２１３９２号公報
【特許文献２】特開２００５−２４５４８４号公報
【発明の概要】
【発明が解決しようとする課題】
【０００６】
ところで、特許文献１の尿誘導シートでは、連結部は着用者に固定されるものの、実際に尿を受けて導く尿誘導部は固定されていないため、着用者が側臥位を取る場合等、尿誘導部が尿道口からずれてしまって尿を吸尿パッドの股下域に導くことができなくなってしまう。一方、特許文献２の尿失禁パッドでは、上述のように、通常の排尿時に利用されるものではなく、尿を所定の領域へと導くものではない。
【０００７】
本発明は、上記課題に鑑みなされたものであり、着用者の姿勢に関わらず、着用者からの尿をおむつの中央部へと導くことを目的としている。
【課題を解決するための手段】
【０００８】
請求項１に記載の発明は、女性の着用者からの尿をおむつ内の所定の領域へと導く導尿パッドであって、撥水性または不透液性を有するシートであり、女性器に対向するとともに前記女性器から離れる方向へと突出し、尿が内部を通過して先端部またはその周囲に形成された開口から導出される導尿部と、前記導尿部から左右方向に広がり、前記女性器または前記女性器近傍に貼付される一対の貼付部とを備える。
【０００９】
請求項２に記載の発明は、請求項１に記載の導尿パッドであって、前記導尿部が、収縮することによりギャザーを形成する弾性部材を備える。
【００１０】
請求項３に記載の発明は、請求項２に記載の導尿パッドであって、前記弾性部材が、前記開口の周囲に配置される。
【００１１】
請求項４に記載の発明は、請求項２または３に記載の導尿パッドであって、前記弾性部材が、前記着用者の股下において前後方向にそれぞれ伸びるとともに前記左右方向に配列される複数の弾性要素を有し、前記ギャザーが伸張された状態において、前記導尿部の前記先端部近傍の弾性要素の収縮力が、前記先端部から左右に離れた弾性要素の収縮力よりも小さい。
【００１２】
請求項５に記載の発明は、請求項２ないし４のいずれかに記載の導尿パッドであって、前記一対の貼付部がシート状であり、前記一対の貼付部がそれぞれ、前後方向にそれぞれ伸びるとともに前記左右方向に配列されてギャザーを形成する他の複数の弾性要素を備え、前記導尿部の前記ギャザーおよび前記一対の貼付部の前記ギャザーが伸張された状態において、前記複数の弾性要素全体の収縮力が、前記他の複数の弾性要素全体の収縮力よりも小さい。
【００１３】
請求項６に記載の発明は、請求項１ないし５のいずれかに記載の導尿パッドであって、前記導尿部の内面が親水性シートにより形成される。
【００１４】
請求項７に記載の発明は、請求項１ないし６のいずれかに記載の導尿パッドであって、前記導尿部および前記一対の貼付部が、元の形状が略矩形である１つのシート部材により形成されており、前記シート部材の略中央にて前後方向に伸びる折り目にて前記シート部材を２つ折りにし、前記折り目の前記前後方向における両端部にて、前記折り目の両側を接合することにより前記導尿部が形成され、前記シート部材の前記導尿部から連続する部位を前記左右方向に広げることにより前記一対の貼付部が形成される。
【００１５】
請求項８に記載の発明は、請求項１ないし７のいずれかに記載の導尿パッドであって、前記導尿部が、前記着用者からの尿を受ける受尿部を有し、前記開口が、前記受尿部近傍に設けられる。
【００１６】
請求項９に記載の発明は、請求項８に記載の導尿パッドであって、前記導尿部がもう１つの開口をさらに備え、前記開口および前記もう１つの開口が、前記受尿部の左右にそれぞれ位置する。
【００１７】
請求項１０に記載の発明は、請求項１ないし９のいずれかに記載の導尿パッドであって、前記一対の貼付部がゲル状粘着材を備える。
【００１８】
請求項１１に記載の発明は、請求項１ないし１０のいずれかに記載の導尿パッドであって、前記一対の貼付部の前端部の間の距離が、前記一対の貼付部の後端部の間の距離よりも大きい。
【発明の効果】
【００１９】
本発明では、着用者の姿勢に関わらず、着用者からの尿をおむつの中央部へと導くことができる。また、請求項３の発明では、開口を大きく維持することができる。さらに、請求項４および５の発明では、導尿パッドの形状を安定させることができる。
【図面の簡単な説明】
【００２０】
【図１】導尿パッドの平面図である。
【図２】導尿パッドを前側から示す図である。
【図３】導尿パッドの左側面図である。
【図４】導尿パッドの断面図である。
【図５】導尿パッドの断面図である。
【図６】導尿パッドを展開して示す平面図である。
【図７】導尿パッドの他の例を示す平面図である。
【図８】導尿パッドの他の例を示す平面図である。
【発明を実施するための形態】
【００２１】
図１は、本発明の一の実施の形態に係る導尿パッド１を示す平面図であり、図２および図３はそれぞれ、導尿パッド１を図１中の上側および左側から示す図である。導尿パッド１は女性用のパッドであり、使い捨ておむつの内側において着用者の女性器に取り付けられて着用者からの尿をおむつ内の所定の領域へと導く。導尿パッド１は左右対称である。
【００２２】
図１ないし図３に示すように、導尿パッド１は、略カップ状の導尿部１１、および、導尿部１１から左右方向（図１および図２中の左右方向に一致する。）に広がる一対のシート状の貼付部１２を備える。導尿パッド１は、一対の貼付部１２が女性器の左右の外陰唇に貼付されることにより、図１中の上側（図２中の手前側であり、また、図３中の左側である。）の部位が着用者の前側（すなわち、腹側）を向くように着用者に取り付けられる。導尿部１１は、女性器に対向するとともに女性器から離れる方向に突出する。以下の説明では、図１中における上下方向を導尿パッド１の前後方向と呼び、導尿パッド１の図１中における上側および下側の部位をそれぞれ「前部」および「後部」という。
【００２３】
図１に示すように、導尿部１１は、着用者の尿道口に対向するとともに着用者からの尿を受ける受尿部１１１を有し、受尿部１１１の前側には、図１ないし図３に示すように、導尿部１１の先端部１１３（すなわち、図３中における導尿部１１の下端縁）にて前後方向に伸びる第１開口１１５が形成されている。また、図１に示すように、受尿部１１１の左右両側には、それぞれが前後方向に伸びる一対の第２開口１１６が形成されている（図３では、一方の第２開口１１６のみを示す。）。換言すれば、受尿部１１１近傍に受尿部１１１を囲むように配置された３つの開口が設けられる。
【００２４】
図４および図５はそれぞれ、導尿パッド１を図１中のＡ−ＡおよびＢ−Ｂの位置にて切断した断面図である。図４および図５では、図示の都合上、導尿パッド１の各構成を互いに離して描いている。導尿パッド１は、バックシート２３、バックシート２３上（すなわち、バックシート２３の着用者側）に接合されるトップシート２１、トップシート２１とバックシート２３との間に配置される第１弾性部材２２、トップシート２１およびバックシート２３の左右両側にてトップシート２１上に積層される一対のサイドシート２５、２つ折りにされた各サイドシート２５の間に配置される第２弾性部材２４、並びに、一対のサイドシート２５上に接合される一対のゲル状粘着材２６を備える。導尿パッド１では、各サイドシート２５の前縁部、後縁部および左右方向の外側の側縁部がトップシート２１に接合されることにより、サイドシート２５とトップシート２１との間に、左右方向の内側に向かって開口するサイドポケット２５１が形成される。また、図１に示すように、ゲル状粘着材２６は平面視において略矩形状とされ、ゲル状粘着材２６の前端は、左右方向の外側の角部が除去された形状とされる。
【００２５】
トップシート２１およびサイドシート２５は透液性シートであり、本実施の形態では、親水性繊維（セルロースやレーヨン、コットン等）により形成された不織布等の親水性シートとされる。トップシート２１およびサイドシート２５として利用される不織布は、例えば、ポイントボンド不織布やエアスルー不織布、スパンレース不織布である。なお、トップシート２１やサイドシート２５として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００２６】
バックシート２３は疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した尿が、バックシート２３を透過して外側に染み出すことが防止される。バックシート２３にプラスチックフィルムが利用される場合、導尿パッド１のムレを防止して着用者の快適性を向上するという観点からは、透湿性（通気性）を有するプラスチックフィルムが利用されることが好ましい。
【００２７】
第１弾性部材２２および第２弾性部材２４はそれぞれ複数の弾性要素２２１，２４１を備え、弾性要素２２１，２４１としては、例えば、ポリウレタン糸、帯状のポリウレタンフィルム、糸状または帯状の天然ゴム等が用いられる。本実施の形態では、ポリウレタン糸が弾性要素２２１，２４１として利用される。ゲル状粘着材２６としては、例えば、シート状のシリコーンゲルが利用される。
【００２８】
図６は、導尿パッド１を展開して示す平面図である。導尿パッド１が形成される際には、元の形状が略矩形である１つのシート部材２０（すなわち、トップシート２１、第１弾性部材２２、バックシート２３、第２弾性部材２４、サイドシート２５およびゲル状粘着材２６を接合したもの）を左右方向の略中央にて前後方向に伸びる折り目２０１にて２つ折りにし、折り目２０１の前後方向における両端部にて折り目２０１の両側の部位を超音波接合や熱融着接合、ホットメルト接着剤等により接合することにより、図４および図５に示すように、断面が略Ｖ字状である導尿部１１が形成される。このとき、折り目２０１は導尿部１１の先端部１１３（図１ないし図３参照）となる。
【００２９】
そして、シート部材２０の導尿部１１から連続する左右両側の部位を左右方向に広げることにより、一対のサイドシート２５および一対のゲル状粘着材２６を備える一対の貼付部１２が形成される。このように、１つのシート部材２０により導尿部１１および一対の貼付部１２を形成することにより、導尿パッド１の製造を簡素化することができ、導尿パッド１の製造コストを低減することができる。
【００３０】
導尿パッド１の形成では、図６に示す折り目２０１の前端における折り目２０１の両側の部位の接合長さが、折り目２０１の後端における折り目２０１の両側の部位の接合長さよりも短くされる（すなわち、図３に示す導尿部１１の前縁における接合長さＬ１が、導尿部１１の後縁における接合長さＬ２よりも短くされる。）。これにより、図１に示すように、平面視における一対の貼付部１２の前端部の間の距離が、一対の貼付部１２の後端部の間の距離よりも大きくされる。また、図６に示すシート部材２０の折り目２０１上に予め形成されてトップシート２１およびバックシート２３を貫通するスリット２０２が導尿部１１の第１開口１１５（図１および図４参照）となり、折り目２０１の左右両側にてトップシート２１およびバックシート２３を貫通する一対のスリット２０３が一対の第２開口１１６（図１および図５参照）となる。
【００３１】
図４ないし図６に示すように、第１弾性部材２２は、着用者の股下において前後方向にそれぞれ伸びるとともに左右方向に配列される１２本の弾性要素２２１を備え、これらの弾性要素２２１は、前後方向に伸張された状態にてトップシート２１およびバックシート２３にホットメルト接着剤等により接合される。各サイドシート２５に接合される第２弾性部材２４は、着用者の股下において前後方向にそれぞれ伸びるとともに左右方向に配列される４本の弾性要素２４１を備え、これらの弾性要素２４１は、前後方向に伸張された状態にてサイドシート２５にホットメルト接着剤等により接合される。
【００３２】
図４および図５に示すように、第１弾性部材２２の１２本の弾性要素２２１のうち中央の（すなわち、図６に示す折り目２０１に近い）４本の弾性要素２２１は導尿部１１に配置され、当該４本の弾性要素２２１の左側の４本の弾性要素２２１、および、右側の４本の弾性要素２２１はそれぞれ、左側および右側の貼付部１２に配置される。また、第２弾性部材２４の左右各４本の弾性要素２４１は、左右の貼付部１２に配置される。そして、これらの第１弾性部材２２および第２弾性部材２４が前後方向に収縮することにより、導尿部１１および一対の貼付部１２にギャザーが形成される。
【００３３】
導尿部１１に配置される４本の弾性要素２２１のうち、図６に示す折り目２０１の左側の２本の弾性要素２２１は、前後方向に伸びる左側のスリット２０３の左右にてスリット２０３に沿って配置され、折り目２０１の右側の２本の弾性要素２２１は右側のスリット２０３の左右にてスリット２０３に沿って配置される。このように、第１弾性部材２２がスリット２０３（すなわち、第２開口１１６）の周囲に配置され、スリット２０３の周囲の部位を収縮させてギャザーを形成することにより、図１および図３に示す第２開口１１６を大きく維持することができる。
【００３４】
導尿パッド１では、第１弾性部材２２および第２弾性部材２４によるギャザーが伸張された状態において、図４および図５に示す第１弾性部材２２の中央の２本の弾性要素２２１の収縮力は、当該２本の弾性要素２２１の左右に並ぶ各３本の弾性要素２２１の収縮力よりも小さく、当該左右各３本の弾性要素２２１の収縮力は、これらの弾性要素２２１の左右外側に位置する残りの各２本の弾性要素２２１の収縮力よりも小さい。また、各貼付部１２では、第２弾性部材２４の４本の弾性要素２４１のうち左右方向の内側の２本の弾性要素２４１の収縮力は、外側の２本の弾性要素２４１の収縮力よりも小さい。
【００３５】
このように、導尿部１１のギャザーが伸張された状態において、導尿部１１の先端部１１３近傍の２本の弾性要素２２１の収縮力が、導尿部１１の先端部１１３から左右に離れた（すなわち、貼付部１２近傍に配置された）２本の弾性要素２２１の収縮力よりも小さくされることにより、導尿部１１の貼付部１２近傍の部位が左右方向の外側に凸状に変形しやすくなる。その結果、カップ状の導尿部１１の形状維持が容易となる。また、貼付部１２のギャザーが伸張された状態において、第２弾性部材２４の左右方向の内側の弾性要素２４１の収縮力が外側の弾性要素２４１の収縮力よりも小さくされることにより、サイドシート２５の内側の部位がトップシート２１から離間しやすくなる。その結果、サイドシート２５とトップシート２１との間のサイドポケット２５１の高さを大きく維持することができる。
【００３６】
さらに、導尿部１１のギャザーおよび一対の貼付部１２のギャザーが伸張された状態において、導尿部１１に配置される複数の弾性要素２２１全体の収縮力が、一対の貼付部１２に配置される複数の弾性要素２２１，２４１全体の収縮力よりも小さくされることにより、導尿部１１と貼付部１２との境界近傍の部位が左右方向の外側に凸状に変形しやすくなる。その結果、カップ状の導尿部１１の形状、および、シート状の貼付部１２の形状を安定させることができる。
【００３７】
導尿パッド１では、着用者からの尿が導尿部１１の受尿部１１１にて受けられ、導尿部１１の内部を通過し、導尿部１１の先端部１１３にて受尿部１１１の前側に位置する第１開口１１５、および、導尿部１１の先端部１１３の周囲にて受尿部１１１の左右にそれぞれ位置する一対の第２開口１１６から外部へと導出される。使い捨ておむつの内部では、導尿パッド１は、第１開口１１５および第２開口１１６が使い捨ておむつの中央部に位置するように配置される。これにより、着用者からの尿を使い捨ておむつの中央部へと導くことができ、その結果、着用者の脚の付け根と使い捨ておむつとの間の隙間から尿が漏れること（いわゆる、横漏れ）を防止することができる。また、受尿部１１１にて尿を受けることにより、排尿時の尿の勢いを弱めて使い捨ておむつによる尿の吸収を確実に行うことができる。その結果、尿の横漏れをより確実に防止することができる。
【００３８】
上述のように、導尿パッド１は着用者の女性器に貼付されるため、導尿パッド１の女性器に対する相対位置が大きくずれることが防止されるとともに、使い捨ておむつ内における第１開口１１５および第２開口１１６の位置が大きくずれることも防止される。その結果、着用者の姿勢に関わらず（例えば、着用者が側臥位を取る場合であっても）、尿の勢いを弱めつつ使い捨ておむつの中央部へと尿を導くことができる。
【００３９】
導尿パッド１では、導尿部１１に弾性部材が設けられてギャザーが形成されることにより、導尿部１１の内部において第１開口１１５および第２開口１１６へと導かれる尿の移動速度を小さくすることができる。その結果、導尿パッド１から外部へと導出される尿の勢いをより弱めることができる。また、導尿部１１では、弾性部材が前後方向を向いて配置されることにより、左右方向に伸びる溝部がギャザーに形成されるため、尿が当該溝部を伝わって第１開口１１５および第２開口１１６へと確実に導かれる。さらに、導尿部１１の内面（すなわち、着用者に対向する面）が親水性シートであるトップシート２１により形成されることにより、導尿パッド１の肌触りを良くして着用感を向上することができるとともに、尿を導尿部１１全体に広げて３つの開口（すなわち、第１開口１１５および一対の第２開口１１６）からおよそ均等に導出することができる。
【００４０】
導尿部１１では、受尿部１１１近傍に第１開口１１５および第２開口１１６が設けられることにより、受尿部１１１にて受けた尿を確実に導尿パッド１の外部へと導出することができる。また、第１開口１１５が導尿部１１の左右方向の中央に（すなわち、図６に示す折り目２０１上に）形成されることにより、尿を使い捨ておむつの左右方向のおよそ中央へと導出することができ、横漏れをより確実に防止することができる。さらに、受尿部１１１の左右両側に第２開口１１６を設けることにより、尿を使い捨ておむつの中央部の広い範囲に亘って吸収させることができる。また、着用者からの体圧等により一方の第２開口１１６が閉じてしまった場合であっても、他方の第２開口１１６から尿を導出することができる。
【００４１】
導尿パッド１では、一対の貼付部１２の前端部の間の距離が後端部の間の距離よりも大きくされる（すなわち、導尿部１１の前端部の左右方向の幅が後端部の左右方向の幅よりも大きくされる）ことにより、着用者の脚の動き等に導尿パッド１が追従しやすくなり、貼付部１２の着用者からの意図しない剥離が抑制される。また、貼付部１２にゲル状粘着材２６を設けることにより、貼付部１２が貼付される肌の部位がかぶれることを抑制することができるとともに、導尿パッド１を着用者から取り外す際に、貼付部１２を容易に剥離することができる。
【００４２】
さらに、各貼付部１２においてサイドシート２５の下面の一部のみがトップシート２１に接合されることにより、着用者の脚の動き等により導尿部１１に力が加えられた場合であっても、当該力が貼付部１２のゲル状粘着材２６に伝わることが抑制される。その結果、貼付部１２の着用者からの意図しない剥離が抑制される。また、各貼付部１２にサイドポケット２５１が形成されることにより、導尿パッド１の側部から尿が漏れることを抑制することができる。
【００４３】
以上、本発明の実施の形態について説明してきたが、本発明は上記実施の形態に限定されるものではなく、様々な変更が可能である。
【００４４】
例えば、導尿部１１に設けられる開口の個数は３つには限定されず、２つ以下、または、４つ以上の開口が導尿部１１に設けられてもよい。例えば、図７に示すように、導尿部１１の先端部１１３の左右に一対の開口１１６のみが設けられてもよく、図８に示すように、導尿部１１の先端部１１３に１つの開口１１５のみが設けられてもよい。
【００４５】
導尿パッド１では、トップシート２１とバックシート２３との積層体である撥水性または不透液性を有するシートにより導尿部１１が形成されることにより、受尿部１１１近傍に設けられた開口以外の部位から尿がしみ出ることを防止することができる。開口以外の部位からの尿の染み出しを防止するという観点からは、導尿部１１が撥水性または不透液性を有するシートにより形成されるのであれば、必ずしも導尿部１１の内面にトップシート２１が設けられる必要はない。導尿パッド１では、例えば、トップシート２１とバックシート２３との間に粒状の高吸収性ポリマー（ＳＡＰ（Super Absorbent Polymer））の層を設けることにより、導尿部１１にて受けた尿の一部が吸収保持されてもよい。
【００４６】
導尿パッド１の一対の貼付部１２は、必ずしも着用者の女性器に貼付される必要はなく、女性器近傍の部位に貼付されてもよい。また、貼付部１２では、ゲル状粘着材２６に代えて異なる種類の粘着材等が設けられてもよい。導尿パッド１は、使い捨ておむつ以外のおむつ（例えば、布製のおむつ）の内側に取り付けられてもよい。
【符号の説明】
【００４７】
１    導尿パッド
１１    導尿部
１２    貼付部
２０    シート部材
２１    トップシート
２２    第１弾性部材
２３    バックシート
２４    第２弾性部材
２６    ゲル状粘着材
１１１    受尿部
１１３    先端部
１１５    （第１）開口
１１６    （第２）開口
２０１    折り目
２２１，２４１    弾性要素
【図１】
2011010985.tif 000003
【図２】
2011010985.tif 000004
【図３】
2011010985.tif 000005
【図４】
2011010985.tif 000006
【図５】
2011010985.tif 000007
【図６】
2011010985.tif 000008
【図７】
2011010985.tif 000009
【図８】
2011010985.tif 000010